(57)【特許請求の範囲】
【請求項１】
パチンコ機の機枠に対して、遊技盤を前面側から取り付けるようにしたパチンコ機の遊技盤取付構造において、
前記機枠の左右いずれか一側辺に、前記遊技盤を前後方向にスイング可能に嵌合支持するスイング式嵌合部材と、前記遊技盤の上下方向の位置決めをする位置決め部とを設け、  前記機枠の他側辺に、前記遊技盤の他側辺を前面側から押さえ付ける止め具と、この止め具を前記遊技盤に押さえ付けた状態で係合固定する係合部材と、前記止め具を前記遊技盤の着脱に邪魔にならない位置へ回動付勢する付勢手段とを設け、前記止め具と前記係合部材との係合及び係合解除の操作を前記遊技盤の前面側から行うように構成したことを特徴とするパチンコ機の遊技盤取付構造。
【請求項２】
前記止め具は、前後方向に回動可能且つ上下方向にスライド可能に支持され、後方への回動により前記遊技盤の他側辺を前面側から押さえ付けた状態になり、その状態で上下いずれかの方向にスライドさせることにより前記係合部材に係合されるように構成されていることを特徴とする請求項１記載のパチンコ機の遊技盤取付構造。
【発明の詳細な説明】
【０００１】
【産業上の利用分野】
本発明は、パチンコ機の機枠に対して、遊技盤を前面側から取り付けるようにしたパチンコ機の遊技盤取付構造に関するものである。
【０００２】
【従来の技術】
近年、パチンコ機の遊技盤の交換を容易にするために、例えば実公平４−３２１３９号公報に記載されているように、遊技盤を前面側から取り付けるようにしたものがある。このものの遊技盤取付構造は、パチンコ機の機枠の裏側に、遊技盤保持用の保持枠を取り付けると共に、この保持枠の４箇所に錠軸を前向きに取り付け、これら４本の錠軸に対して遊技盤の４箇所に形成した各貫通孔を前方から挿通し、この状態で、各錠軸の前端に設けられた施錠リングをロック位置まで回動することで、遊技盤を４本の錠軸に対して抜止め状態に取り付けるようになっている。
【０００３】
【発明が解決しようとする課題】
しかしながら、上記従来構成のものでは、遊技盤の取付に際して、４本の錠軸に対して遊技盤を正確に位置決めしながら、遊技盤の４箇所の貫通孔を４本の錠軸に挿通する必要があり、その作業が甚だ面倒である上に、その挿入後に、４本の錠軸の施錠リングを全てロック位置まで回動する必要があり、この作業にも手間がかかるという欠点がある。同様に、遊技盤の取外し時にも、４箇所の施錠リングを全て解錠位置まで回動する必要があり、遊技盤の取外しも面倒である。
【０００４】
本発明はこのような事情を考慮してなされたものであり、従ってその目的は、機枠の前面側から遊技盤の取付及び取外しを極めて簡単に行うことができるパチンコ機の遊技盤取付構造を提供することにある。
【０００５】
【課題を解決するための手段】
上記目的を達成するために、本発明のパチンコ機の遊技盤取付構造は、機枠の左右いずれか一側辺に、遊技盤を前後方向にスイング可能に嵌合支持するスイング式嵌合部材と、前記遊技盤の上下方向の位置決めをする位置決め部とを設け、前記機枠の他側辺に、前記遊技盤の他側辺を前面側から押さえ付ける止め具と、この止め具を前記遊技盤に押さえ付けた状態で係合固定する係合部材と、前記止め具を前記遊技盤の着脱に邪魔にならない位置へ回動付勢する付勢手段とを設け、前記止め具と前記係合部材との係合及び係合解除の操作を前記遊技盤の前面側から行うように構成したものである（請求項１）。
【０００６】
この場合、前記止め具は、前後方向に回動可能且つ上下方向にスライド可能に支持され、後方への回動により前記遊技盤の他側辺を前面側から押さえ付けた状態になり、その状態で上下いずれかの方向にスライドさせることにより前記係合部材に係合されるように構成しても良い（請求項２）。
【０００７】
【作用】
本発明の請求項１の構成において、遊技盤を機枠に取り付ける場合には、まず、機枠の一側辺に設けられたスイング式嵌合部材に対して、遊技盤の一側辺を差し込む。これにより、遊技盤はスイング式嵌合部材を支点にして前後方向にスイング可能に支持された状態となる。このとき同時に、機枠の一側辺に設けられた位置決め部により遊技盤の上下方向の位置決めをする。この後、スイング式嵌合部材を支点にして遊技盤を後方へスイングさせて、遊技盤を所定の取付位置にセットし、この状態で、遊技盤の他側辺を止め具により前面側から押さえ付け、更に、この止め具を係合部材により係合固定すれば、前記スイング式嵌合部材に支持された遊技盤の他側辺が止め具により押さえ付けられて固定された状態となり、遊技盤の取付作業が完了する。この場合、止め具が付勢手段により遊技盤の着脱に邪魔にならない位置へ回動付勢されているので、止め具が係合部材から外されると、止め具が付勢手段により遊技盤の着脱に邪魔にならない位置へ自動的に退避した状態になる。
【０００８】
この場合、本発明の請求項２の構成では、遊技盤の取付時に、止め具を後方へ回動させると、遊技盤の他側辺を止め具により前面側から押さえ付けた状態になり、その状態で、この止め具を上下いずれかの方向にスライドさせると、止め具が遊技盤を押さえ付けた状態で係合部材により係合固定される。
【００１０】
【実施例】
以下、本発明の一実施例を図面に基づいて説明する。まず、図８（パチンコ機の分解斜視図）に基づいてパチンコ機全体の概略構成を説明する。パチンコ機の機枠１１は、ＡＢＳ樹脂等のプラスチックにより成形されている。この機枠１１の下部にはパチンコ球発射装置１２等が取り付けられ、また、機枠１１の前面には、遊技盤１３の前面をカバーするガラス扉１４がヒンジ（図示せず）を介して開閉可能に取り付けられている。
【００１１】
一方、機枠１１の裏面には、裏部品取付部１５が一体に形成されている。この裏部品取付部１５には、遊技盤１３の裏面に取り付けられたセンター役物ユニット１６や集合板１７を後方に突出させるための開口部１８が形成されている。更に、この裏部品取付部１５は、遊技盤１３の後方への位置決めストッパ（遊技盤１３の装着凹部）として機能するように、遊技盤１３の裏面外周部を包み込む形状に形成されている。
【００１２】
この裏部品取付部１５の裏側に取り付けられる裏部品は、賞球補給ユニット１９と、賞球排出ユニット２０と、下部ユニット２１の３つのユニットに分離して組み立てられている。この実施例では、賞球補給ユニット１９は、賞球貯留用のタンク２２と、このタンク２２から流れ出る賞球の通路となるタンクレール２３とをユニット化した構成となっている。一方、賞球排出ユニット２０は、後述する証拠球検出部（図示せず）で証拠玉を検出する毎にタンクレール２３から補給される賞球を所定個数ずつ排出するものである。また、下部ユニット２１は、入賞口（図示せず）に入ったセーフ玉を集めるセーフ玉樋部（図示せず），証拠玉を検出する証拠玉検出部（図示せず），賞球排出ユニット２０から排出される賞球を上下の玉受け皿（図示せず）に振り分ける賞球上下振り分け部（図示せず）等をユニット化した構成となっている。
【００１３】
これら各ユニット１９〜２１は、裏部品取付部１５に形成された係合受け部２４に係合により取り付けられ、この係合状態がロック部材２８によりロックされるようになっている。このロック部材２８は、スプリング（図示せず）により前後方向に変位できるように取り付けられ、このロック部材２８を押し込むことでロック状態を解除できるようになっている。
【００１４】
一方、遊技盤１３は、機枠１１に対して前面側から次のようにして着脱可能に取り付けられている。まず、遊技盤１３の左辺（一側辺）の支持方式を図１乃至図４に基づいて説明する。機枠１１の左辺（一側辺）の中央部に、スイング式嵌合部材である止め板金４１が、上下に延びる軸ピン４２（図３，図４参照）を介して前後方向にスイング可能（回動可能）に取り付けられている。この止め板金４１には、後方（図３において反時計回り方向）への回動角度を規制する回動規制部４１ａと、遊技盤１３の左辺の中央部を前面側から押さえ付ける押え片部４１ｂとが一体に形成されている。この押え片部４１ｂには、遊技盤１３の上下方向の位置決めをする角ブロック状の位置決め台４３がビス４４（図４参照）により取り付けられている。
【００１５】
また、押え片部４１ｂの上下２箇所には貫通孔４５（図３参照）が形成され、この貫通孔４５に、位置決め台４３に一体に形成されたボス４６が挿通されている。このボス４６には、スプリング４７と摺動部材４８が挿通され、当該ボス４６にビス止めされたワッシャ４９により摺動部材４８が抜止めされている。この摺動部材４８は、機枠１１に当接し、スプリング４７の弾発力により止め板金４１を後方（図３において反時計回り方向）に付勢する役割を果たしている。
【００１６】
上述した位置決め台４３に対応して、遊技盤１３の左辺には嵌合凹部５０（図２参照）が形成され、この嵌合凹部５０を位置決め台４３に嵌め込むことで、遊技盤１３の上下方向の位置決めがなされる。更に、この実施例では、遊技盤１３の上下方向の位置決めを確実なものとするために、機枠１１の左辺（一側辺）の上下２箇所に、水平方向に延びる位置決め凸部５１（図１参照）が形成され、この位置決め凸部５１に遊技盤１３の裏面に形成された嵌合凹部５２を嵌め込むことで、遊技盤１３の上下方向の位置決めがなされる。従って、この実施例では、２つの位置決め凸部５１と位置決め台４３の３箇所の“位置決め部”で遊技盤１３の上下方向の位置決めがなされる。
【００１７】
一方、遊技盤１３の後方への位置決めは、前述したように裏部品取付部１５によってなされ、この状態で、遊技盤１３の左辺を止め板金４１の押え片部４１ｂによって前面側から押さえ付けることで、遊技盤１３の左辺を押え片部４１ｂと裏部品取付部１５との間に挟み込んで固定するようになっている。
【００１８】
次に、遊技盤１３の右辺（他側辺）の固定方式を説明する。この実施例では、図１に示すように、遊技盤１３の右辺の上下２箇所を止め具５５で裏部品取付部１５側に押さえ付けて固定する。この止め具５５は、図５乃至図７に示すように上下方向に延びる軸ピン５６に前後方向に回動可能且つ上下方向にスライド可能に支持されている。この止め具５５は、軸ピン５６の下部に装着されたねじりコイルばね５７（付勢手段）の軸方向の圧縮反発力によって上方の非係合位置［図５（ｂ）の位置］へ付勢されると共に、このねじりコイルばね５７のねじり反発力によって、遊技盤１３の着脱に邪魔にならない退避位置（図７の二点鎖線の位置）へ回動付勢されている。尚、軸ピン５６の上部には、止め具５５が非係合位置に復帰する際の衝撃を緩衝するための緩衝ばね５８が装着されている。
【００１９】
この実施例では、止め具５５を遊技盤１３に押さえ付けた状態で係合固定するために、図５に示すように、止め具５５の上下２箇所に係合孔５９が形成されている。各係合孔５９に対応して、それぞれ係合ピン６０（係合部材）が機枠１１の右辺に設けられている。各係合ピン６０は、図６及び図７に示すように、機枠１１の右辺に形成された位置決めボス部６１の挿通孔６２に前後方向にスライド可能に挿通され、その後部側に装着されたスプリング６３によって後方に引き込まれるように付勢されている。各係合ピン６０の後方への引込み量は、位置決めボス部６１の裏面側にビス止めされた抜止め部材６４によって制限されている。各係合ピン６０の前端外周部には嵌合溝６５が形成され、この嵌合溝６５に止め具５５の係合孔５９の周縁部が嵌まり込むことで、止め具５５が係合ピン６０に係合固定されるようになっている。この係合固定位置では、図７に示すように、止め具５５が遊技盤１３の右辺を前面側から押さえ付けることで、遊技盤１３の右辺を止め具５５と裏部品取付部１５との間に挟み付けて固定するようになっている。
【００２０】
この係合固定状態を解除するために、図５に示すように、止め具５５には、係合孔５９から下側に向けて幅広な係合解除孔６６が連続して形成され、止め具５５を係合固定位置［図５（ａ）に示す位置］から非係合位置［図５（ｂ）に示す位置］へスライドさせることによって、係合ピン６０が係合孔５９から係合解除孔６６へ抜け出て係合が解除されると同時に、ねじりコイルばね５７のねじり反発力によって止め具５５が退避位置（図７の二点鎖線の位置）へ自動的に回動されるようになっている。尚、止め具５５の上端部には、摘み部６７が一体に折曲形成され、作業者がこの摘み部６７を摘んで止め具５５を上下方向にスライド操作できるようになっている。
【００２１】
また、機枠１１の右辺の位置決めボス部６１に対応して、図２に示すように、遊技盤１３の右辺の上下２箇所に嵌合凹部６８が形成され、この嵌合凹部６８を位置決めボス部６１に嵌め込むことで、遊技盤１３の右辺についても左辺と同じく上下方向の位置決めがなされるようになっている。
【００２２】
次に、遊技盤１３を機枠１１に前面側から取り付ける手順を説明する。まず、遊技盤１３の左辺の嵌合凹部５０，５２を位置決め台４３と位置決め凸部５１に嵌め込んで、遊技盤１３の上下方向の位置決めをすると共に、図３（ｂ）に示すように、遊技盤１３の左辺を止め板金４１の押え片部４１ｂの内側（後側）に差し込む。これにより、遊技盤１３は止め板金４１を支点にして前後方向にスイング可能に支持された状態となる。この後、止め板金４１を支点にして遊技盤１３を後方へスイングさせると、やがて、図３（ｃ）に示すように、遊技盤１３の裏面が裏部品取付部１５に突き当たって遊技盤１３の後方への位置決めがなされる。この際、機枠１１の右辺側の止め具５５は、ねじりコイルばね５７のねじり反発力によって退避位置（図７の二点鎖線の位置）に保持されるため、止め具５５が邪魔になることはない。
【００２３】
上述したようにして、遊技盤１３の裏面を裏部品取付部１５に突き当てた状態にした後、止め具５５の摘み部６７を摘んで止め具５５を遊技盤１３の前面側へ回動させて、止め具５５を遊技盤１３の前面に突き当てた状態にする。これにより、図５（ｂ）に示すように、止め具５５の係合解除孔６６内に係合ピン６０が入り込んだ状態となる。この状態で、止め具５５を下方の係合位置へスライドさせると、図５（ａ）に示すように、係合ピン６０が係合解除孔６６から係合孔５９に入り込んで、係合ピン６０の嵌合溝６５に止め具５５の係合孔５９の周縁部が嵌まり込み、止め具５５が係合ピン６０に係合固定された状態となる。このような係合作業を上下２箇所の止め具５５について行えば、遊技盤１３の右辺が上下２箇所で止め具５５により裏部品取付部１５側に押さえ付け固定された状態となり、遊技盤１３の取付作業が完了する。
【００２４】
この後、遊技盤１３を取り外す場合には、図５（ｂ）に示すように、止め具５５を上方の非係合位置へスライドさせると、係合ピン６０が係合孔５９から係合解除孔６６へ抜け出て係合が解除される。この状態で、止め具５５の摘み部６７から手を放せば、止め具５５がねじりコイルばね５７のねじり反発力によって退避位置（図７の二点鎖線の位置）へ自動的に回動される。このようにして、上下２箇所の止め具５５を退避位置へ回動させた後、遊技盤１３を止め板金４１を支点にして前方へスイングさせて、遊技盤１３の左辺を止め板金４１から右方へ引き外せば、遊技盤１３が機枠１１から取り外される。
【００２５】
以上説明した実施例によれば、遊技盤１３の左辺側の取付は、遊技盤１３の左辺の嵌合凹部５０，５２を位置決め台４３と位置決め凸部５１に嵌め込みながら止め板金４１に差し込むだけで良く、他の作業は不要である。一方、遊技盤１３の右辺側の取付は、止め板金４１に差し込んだ遊技盤１３を後方へスイングさせて、止め具５５を係合ピン６０に係合するだけで良い。従って、前述した従来構成のものに比して、位置決め作業が容易で、係合箇所も少なくて済み、遊技盤１３の取付作業が極めて簡単である。また、遊技盤１３の取外し時には、遊技盤１３の右辺側の止め具５５を係合ピン６０から外して、遊技盤１３を前方へスイングさせ、遊技盤１３の左辺を止め板金４１から右方へ引き外すだけで良く、遊技盤１３の取外し作業も極めて簡単である。
【００２６】
更に、上記実施例では、止め具５５を前後方向に回動可能且つ上下方向にスライド可能に設け、この止め具５５を後方へ回動させることにより遊技盤１３の右辺を前面側から押さえ付けた状態になり、その状態で、この止め具５５を下方にスライドさせて係合ピン６０に係合するようになっているので、止め具５５を、遊技盤１３に押さえ付けた状態で係合する作業もスライド操作により極めて容易に行うことができる。尚、上記実施例では、止め具５５を“下方”にスライドさせて係合ピン６０に係合するようにしたが、止め具５５を“上方”にスライドさせて係合させるように各部の位置関係を変更しても良い。
【００２７】
また、止め具５５をねじりコイルばね５７により遊技盤１３の着脱に邪魔にならない位置へ回動付勢するようにしたので、止め具５５が係合ピン６０から外されると、止め具５５がねじりコイルばね５７により遊技盤１３の着脱に邪魔にならない位置へ自動的に退避するようになり、遊技盤１３の着脱作業性が一層良いものとなっている。
【００２８】
尚、上記実施例では、機枠１１に一体成形された裏部品取付部１５を、遊技盤１３の後方への位置決めストッパ（遊技盤１３の装着凹部）として兼用させるようにしたが、裏部品取付部１５とは別のストッパを機枠１１に設けるようにしても良い。また、上記実施例では、機枠１１の左辺側に設けた２つの位置決め凸部５１と位置決め台４３の３箇所の“位置決め部”で遊技盤１３の上下方向の位置決めを行うようにしたが、例えば位置決め台４３を省いても良い等、“位置決め部”の数は２個以下であっても良い。
【００２９】
また、上記実施例では、機枠１１の左辺にスイング式嵌合部材（止め板金４１）を設け、機枠１１の右辺に止め具５５を設けたが、これとは反対に、機枠１１の右辺にスイング式嵌合部材（止め板金４１）、左辺に止め具５５を設けるようにしても良い。
【００３０】
その他、本発明は、機枠１１をＡＢＳ樹脂以外の他のプラスチック材料で成形したり、或は、スイング式嵌合部材（止め板金４１）を複数箇所に設けたり、止め具５５を１箇所のみに設けるようにしても良い等、要旨を逸脱しない範囲内で種々変更して実施できることは言うまでもない。
【００３１】
【発明の効果】
以上の説明から明らかなように、本発明の請求項１の構成によれば、機枠の左右いずれか一側辺に設けたスイング式嵌合部材に対して、遊技盤の一側辺を差し込んでスイング可能に支持させ、遊技盤の他側辺を止め具によって係合固定するようにしたので、従来構成のものと比較して、位置決め作業が容易で、係合箇所も少なくて済み、機枠の前面側から遊技盤の取付及び取外しを極めて簡単に行うことができる。しかも、止め具を付勢手段により遊技盤の着脱に邪魔にならない位置へ回動付勢するようにしたので、止め具が係合部材から外されると、止め具が付勢手段により遊技盤の着脱に邪魔にならない位置へ自動的に退避するようになり、遊技盤の着脱作業性を一層向上させることができる。
【００３２】
また、本発明の請求項２の構成によれば、止め具を前後方向に回動可能且つ上下方向にスライド可能に設け、止め具を遊技盤に押さえ付けた状態でスライド操作により係合部材に係合することができるので、止め具を遊技盤に押さえ付けた状態で係合する作業も極めて容易に行うことができる。
【図面の簡単な説明】
【図１】本発明の一実施例を示す機枠の主要部分の正面図
【図２】遊技盤の正面図
【図３】遊技盤の左辺の取付構造を示す横断面図で、（ａ）は遊技盤を取り外したときの横断面図、（ｂ）は遊技盤の取付途中の横断面図、（ｃ）は遊技盤の取付完了後の横断面図
【図４】遊技盤の左辺の取付構造を示す正面図
【図５】遊技盤の右辺の取付構造を部分的に破断して示す正面図で、（ａ）は止め具が係合固定位置にスライドされたときの正面図、（ｂ）は止め具が非係合位置にスライドされたときの正面図
【図６】遊技盤の右辺の取付構造の縦断側面図
【図７】遊技盤の右辺の取付構造の横断面図
【図８】パチンコ機の分解斜視図
【符号の説明】
１１…機枠、１３…遊技盤、１４…ガラス扉、１５…裏部品取付部、１９…賞球補給ユニット、２０…賞球排出ユニット、２１…下部ユニット、４１…止め板金（スイング式嵌合部材）、４１ｂ…押え片部、４３…位置決め台（位置決め部）、４７…スプリング、５０…嵌合凹部、５１…位置決め凸部（位置決め部）、５２…嵌合凹部、５５…止め具、５７…ねじりコイルばね（付勢手段）、５８…緩衝ばね、５９…係合孔、６０…係合ピン（係合部材）、６１…位置決めボス部、６６…係合解除孔、６８…嵌合凹部。
【図１】
0003585181.tif 000002
【図２】
0003585181.tif 000003
【図３】
0003585181.tif 000004
【図４】
0003585181.tif 000005
【図５】
0003585181.tif 000006
【図６】
0003585181.tif 000007
【図７】
0003585181.tif 000008
【図８】
0003585181.tif 000009